(57)【特許請求の範囲】
【請求項１】
入力クロマ信号と後述する切り換え回路からの出力信号を掛算する第１の掛算回路と、前記第１の掛算回路からの出力信号と後述するＶＣＯ回路からのＣＯＳ波とを掛算する第２の掛算回路と、前記第１の掛算回路からの出力信号と後述するＶＣＯ回路からのＳＩＮ波とを掛算する第３の掛算回路と、前記第２の掛算回路からの出力信号の高域成分を落とす第１のローパスフィルター回路と、前記第３の掛算回路からの出力信号の高域成分を落とす第２のローパスフィルター回路と、前記第１のローパスフィルターおよび前記第２のローパスフィルター回路からの出力信号を入力とし、バースト期間の信号の周波数がＳＥＣＡＭ方式の規格に合っているか判断し、ＳＥＣＡＭ信号と判断すればＨｉｇｈを出力するＳＥＣＡＭＩＤ検出回路と、前記第１のローパスフィルターおよび前記第２のローパスフィルター回路からの出力信号を入力とし、バースト期間信号のベクトルの動作がＰＡＬ方式の規格に合っているかどうか判断し、ＰＡＬ信号と判断すればＨｉｇｈを出力するＰＡＬＩＤ検出回路と、前記第１のローパスフィルターおよび前記第２のローパスフィルター回路からの出力信号を入力とし、バースト期間信号のベクトルの動きがＮＴＳＣ方式の規格に合っているかどうか判断し、ＮＴＳＣ信号と判断すればＨｉｇｈを出力するＮＴＳＣＩＤ検出回路と、前記ＳＥＣＡＭＩＤ検出回路と、前記ＰＡＬＩＤ検出回路と、前記ＮＴＳＣＩＤ検出回路からの出力信号と、同期分離された垂直周期のパルスと、自動判別モードをスタートさせるタイミングを決定する第５の制御信号とを入力し、垂直周期を１Ｖ周期としてｎＶ期間の間、各方式を復調する設定にしておき、ｎＶ期間中に前記ＳＥＣＡＭＩＤ検出回路、ＰＡＬＩＤ検出回路、ＮＴＳＣＩＤ検出回路からの出力信号を総合的に判断し、どの方式かを判定する判別ロジック回路と、前記第１のローパスフィルターおよび前記第２のローパスフィルター回路および前記判定ロジック回路からの出力信号を入力とし、外部より制御する信号によって、Ｒ−Ｙ、Ｂ−Ｙ信号に復調して出力するクロマ復調回路と、前記第１のローパスフィルター回路からの出力信号のうち、バースト期間のレベルを検出するバーストレベル検出回路と、前記バーストレベル検出回路からの出力信号と第４の制御信号とを切り換える第１の切り換え回路と、前記第２のローパスフィルター回路からの出力信号のうち、バースト期間のレベルを累積加算する位相誤差累積回路と、前記位相誤差累積回路からの出力信号を、前記判別ロジック回路からの制御信号に対応して最適な信号に変換するデータ変換回路と、前記データ変換回路からの出力信号のレベルが変わると、出力するＳＩＮ波、ＣＯＳ波の周波数が変化するＶＣＯ（Ｖｏｌｔａｇｅ Ｃｏｎｔｒｏｌ Ｏｓｃｉｌｌａｔｏｒ）回路とを備えたことを特徴とする自動方式判別回路。
【請求項２】
前記第１の切り換え回路を制御する制御信号は、通常時は前記バーストレベル検出回路からの出力信号を選択しているが、自動判別モードにて各方式の復調データを設定するｎＶ期間のうち少なくとも最初の１Ｖ期間では前記第４の制御データを選択することを特徴とする請求項１記載の自動方式判別回路。
【請求項３】
前記データ変換回路は第１の制御データと第２の制御データとを切り換える第２の切り換え回路と、入力信号と前記第２の切り換え回路からの出力信号を加算する加算回路と、前記加算回路からの出力信号と第３の制御信号とを切り換え、前記ＶＯＣ回路に出力する第３の切り換え回路とを備えた請求項１記載の自動方式判別回路。
【発明の詳細な説明】
【０００１】
【発明の属する技術分野】
本発明は、クロマ方式を判別する際に、誤動作が少なくかつ早く判別することができることを提供するための自動方式判別回路に関するものである。
【０００２】
【従来の技術】
近年、自動方式判別回路は、グローバル展開するテレビ受像機が増えてくる中で、必要不可欠の技術として重要視されている。
【０００３】
以下、図面を参照しながら、上述した従来の自動方式判別回路の一例について説明を行う。
【０００４】
図４は、特許番号２７７８８２４号で提案されている自動方式判別回路のブロック構成図を示すものである。図４のブロック構成図において複合映像信号から分離して得られたクロマ信号を入力端子１に入力し、PAL、NTSCおよびSECAM方式の復調回路２〜４に入力する。各方式で復調した信号をスイッチ13に出力し、従来同様判別ロジック・ルーチン回路12の制御信号によりどれか１つを選択して出力する。スイッチの出力をマトリクス回路14に入力し、Ｒ−Ｙ、Ｇ−Ｙ、Ｂ−Ｙの色差信号にマトリクス処理した後、出力端子15に出力する。各方式のID判別回路17〜19は判別感度が外部制御可能なものであって、初期状態では判別感度がシステム優先順位と等しくなっているものとする。
【０００５】
例えばシステムの優先順位をＰ＞Ｎ＞Ｓと設定したとすると、判別回路17〜19の初期の判別感度をＰ＞Ｎ＞Ｓに設定する。ただし、Ｐ、Ｎ、ＳはそれぞれPAL、NTSC、SECAMの略称である。各ID判別回路17〜19出力をID比較回路16に入力し、そのうち判別出力の高いID判別回路の判別感度を上げるため、比較結果を各ID判別回路17〜19にフィードバックする。さらに、各ID判別回路17〜19の出力をそれぞれ整形回路８〜10に入力し、判別ロジックルーチン12によりどの方法であるかを決定する。
【０００６】
PAL方式の色信号が到来した場合について説明する。PAL方式のID信号をPAL、NTSC方式のID判別回路17、18に入力すると、後述するようにID判別回路17、18の構成上何れのID判別回路17、18にもIDも立ってしまう。このシステムであればもともとPAL用ID判別回路17の感度が上がっているので、PAL判別回路の判別出力の方がNTSC判別回路の出力よりも高く、ID比較回路でより高いPAL方式判別回路の判別感度を上げ、NTSC方式判別回路の感度を抑えるので、よりPAL判別出力が上がり色復調システム全体がPALシステムで安定に動作する。同様にしてNTSC、SECAM方式の色信号が到来しても、判別回路18、19とID比較回路16の間で到来した色信号を確実に判別することができる。
【０００７】
このようにすればもともと優先されるべき色方式のID判別感度が優先されることから、IDが立ちやすくなることに加え、ID比較回路16で判別機能を増加するので他のIDが立つことによる誤動作を確実に防ぐことができる。
【０００８】
【発明が解決しようとする課題】
しかしながら上記のような構成では、次のような問題点を有している。この従来例はアナログ信号処理技術を使って回路を構成しているために、ＰＡＬ方式復調回路２、ＮＴＳＣ方式復調回路３、ＳＥＣＡＭ方式復調回路４を３つ持っても回路規模が極端に大きくならないが、本発明の構成はデジタル信号処理を使っているために３つの復調回路を持つことは非常にコストアップにつながり、現実的ではない。そこで、基本的にＰＡＬ／ＮＴＳＣ復調回路とＳＥＣＡＭ復調回路の２つの復調回路を持つようにして、回路規模を小さくする必要がある。
【０００９】
【課題を解決するための手段】
上記問題点を解決するために本発明の自動方式判別回路は、ＰＡＬ／ＮＴＳＣ復調回路とＳＥＣＡＭ復調回路の２つの復調回路を持つとともに、各ＩＤ検出回路からの出力信号からクロマ方式を判断する判別ロジック回路を備えたものである。
【００１０】
【発明の実施の形態】
本発明の請求項１に記載の発明はクロマ方式を判別する際に、誤動作が少なくかつ早く判別することができるという効果を特徴とする自動方式判別回路であり、自動判別期間中にＡＣＣ回路を止めて、自動判別時に方式設定データが切り換わったとき、ＡＣＣ回路の過渡応答を極力押さえるような回路構成を有している。
【００１１】
本発明の請求項２に記載の発明は入力クロマ信号と後述する切り換え回路からの出力信号を掛算する第１の掛算回路と、前記第１の掛算回路からの出力信号と後述するＶＣＯ回路からのＣＯＳ波とを掛算する第２の掛算回路と、前記第１の掛算回路からの出力信号と後述するＶＣＯ回路からのＳＩＮ波とを掛算する第３の掛算回路と、前記第２の掛算回路からの出力信号の高域成分を落とす第１のローパスフィルター回路と、前記第３の掛算回路からの出力信号の高域成分を落とす第２のローパスフィルター回路と、前記第１、２のローパスフィルター回路からの出力信号を入力とし、バースト期間の信号の周波数がＳＥＣＡＭ方式の規格に合っているか判断し、ＳＥＣＡＭ信号と判断すればＨｉｇｈを出力するＳＥＣＡＭＩＤ検出回路と、前記第１、２のローパスフィルター回路からの出力信号を入力とし、バースト期間信号のベクトルの動作がＰＡＬ方式の規格に合っているかどうか判断し、ＰＡＬ信号と判断すればＨｉｇｈを出力するＰＡＬＩＤ検出回路と、前記第１、２のローパスフィルター回路からの出力信号を入力とし、バースト期間信号のベクトルの動きがＮＴＳＣ方式の規格に合っているかどうか判断し、ＮＴＳＣ信号と判断すればＨｉｇｈを出力するＮＴＳＣＩＤ検出回路と、前記第１、２のローパスフィルター回路からの出力信号を入力とし、外部より制御する信号によって、Ｒ−Ｙ、Ｂ−Ｙ信号に復調して出力するクロマ復調回路と、前記ＳＥＣＡＭＩＤ検出回路と、前記ＰＡＬＩＤ検出回路と、前記ＮＴＳＣＩＤ検出回路からの出力信号と、同期分離された垂直周期のパルスと、自動判別モードをスタートさせるタイミングを決定する第５の制御信号とを入力し、垂直周期を１Ｖ周期としてｎＶ期間の間、各方式を復調する設定にしておき、ｎＶ期間中に前記ＳＥＣＡＭＩＤ検出回路、ＰＡＬＩＤ検出回路、ＮＴＳＣＩＤ検出回路からの出力信号を総合的に判断し、どの方式か特定できればそのモードでストップするというようなアルゴリズムを持っている判別ロジック回路と、前記第１のローパスフィルター回路からの出力信号のうち、バースト期間のレベルを検出するバーストレベル検出回路と、前記バーストレベル検出回路からの出力信号と第４の制御信号とを切り換える第１の切り換え回路と、前記第２のローパスフィルター回路からの出力信号のうち、バースト期間のレベルを累積加算する位相誤差累積回路と、前記位相誤差累積回路からの出力信号を、前記判別ロジック回路からの制御信号に対応して最適な信号に変換するデータ変換回路と、前記データ変換回路からの出力信号のレベルが変わると、出力するＳＩＮ波、ＣＯＳ波の周波数が変化するＶＣＯ（Ｖｏｌｔａｇｅ  Ｃｏｎｔｒｏｌ  Ｏｓｃｉｌｌａｔｏｒ）回路とを備えクロマ方式を判別する際に、誤動作が少なくかつ早く判別することができるという効果を特徴とする自動方式判別回路でり、自動判別期間中にＡＣＣ回路を止めて、自動判別時に方式設定データが切り換わったとき、ＡＣＣ回路の過渡応答を極力押さえるような回路構成を有している。
【００１２】
以下本発明の実施の形態について、図面を参照しながら説明する。
【００１３】
（実施の形態１）
図１は本発明の第１の実施例における自動方式判別回路のブロック構成図を示すものである。図１において、１０１は入力クロマ信号と後述する切り換え回路１０７からの出力信号を掛算する掛算回路、１０２は掛算回路１０１からの出力信号と後述するＶＣＯ回路１１５からのＣＯＳ波とを掛算する掛算回路、１０３は掛算回路１０１からの出力信号と後述するＶＣＯ回路１１５からのＳＩＮ波とを掛算する掛算回路、１０４は掛算回路１０２からの出力信号の高域成分を落とす第１のローパスフィルター回路、１０５は掛算回路１０３からの出力信号の高域成分を落とす第２のローパスフィルター回路、１０６は第１のローパスフィルター回路１０４からの出力信号のうち、バースト期間のレベルを検出するバーストレベル検出回路、１０７はバーストレベル検出回路１０６からの出力信号と第４の制御信号１２０とを切り換える切り換え回路、１０８は第１、２のローパスフィルター回路１０４、１０５からの出力信号を入力とし、バースト期間の信号の周波数がＳＥＣＡＭ方式の規格に合っているか判断し、ＳＥＣＡＭ信号と判断すればＨｉｇｈを出力するＳＥＣＡＭＩＤ検出回路である。
【００１４】
１０９は第１、２のローパスフィルター回路１０４、１０５からの出力信号を入力とし、バースト期間信号のベクトルの動作がＰＡＬ方式の規格に合っているかどうか判断し、ＰＡＬ信号と判断すればＨｉｇｈを出力するＰＡＬＩＤ検出回路、１１０は第１、２のローパスフィルター回路１０４、１０５からの出力信号を入力とし、バースト期間信号のベクトルの動きがＮＴＳＣ方式の規格に合っているかどうか判断し、ＮＴＳＣ信号と判断すればＨｉｇｈを出力するＮＴＳＣＩＤ検出回路である。
【００１５】
１１１は第１、２のローパスフィルター回路１０４、１０５からの出力信号を入力とし、外部より制御する信号によって、Ｒ−Ｙ、Ｂ−Ｙ信号を生成するクロマ復調回路、１１２はＳＥＣＡＭＩＤ検出回路１０８と、ＰＡＬＩＤ検出回路１０９と、ＮＴＳＣＩＤ検出回路１１０からの出力信号と、同期分離された垂直周期のパルス１２１と、自動判別モードをスタートさせるタイミングを決定する第５の制御信号１２２とを入力し、垂直周期を１Ｖ周期としてｎＶ期間の間、各方式を復調する設定にしておき、ｎＶ期間中に前記ＳＥＣＡＭＩＤ検出回路、ＰＡＬＩＤ検出回路、ＮＴＳＣＩＤ検出回路からの出力信号を総合的に判断し、どの方式か特定できればそのモードでストップするというようなアルゴリズムを持っている判別ロジック回路である。
【００１６】
１１３は第２のローパスフィルター回路１０５からの出力信号のうち、バースト期間のレベルを累積加算する位相誤差累積回路、１１４は位相誤差累積回路１１３からの出力信号を、判別ロジック回路１１２からの制御信号に対応して最適な信号に変換するデータ変換回路、１１５はデータ変換回路１１４からの出力信号のレベルが変わると、出力するＳＩＮ波、ＣＯＳ波の周波数が変化するＶＣＯ（Ｖｏｌｔａｇｅ  Ｃｏｎｔｒｏｌ  Ｏｓｃｉｌｌａｔｏｒ）回路である。
【００１７】
以上のように構成された自動方式判別回路について、以下図１、２、３を用いてその動作を説明する。
【００１８】
まず図２は判別ロジック回路１１２の動作を説明する動作説明図、図３はＡＣＣ特性の動作を説明する動作説明図である。掛算回路１０１、１０２、第１のローパスフィルター回路１０４、バーストレベル検出回路１０６、切り換え回路１０７にて構成されるブロックがいわゆるＡＣＣ（Ａｕｔｏ  Ｃｏｌｏｒ  Ｃｏｎｔｒｏｌ）回路であり、入力クロマ信号１１９のバーストレベルを一定に保つことを目的としたブロックである。
【００１９】
掛算回路１０３、第２のローパスフィルター回路１０５、位相誤差累積回路１１３、データ変換回路１１４、ＶＣＯ回路１１５にて構成されるブロックはいわゆるＡＰＣ（Ａｕｔｏ  Ｐｈａｓｅ  Ｃｏｎｔｒｏｌ）回路であり、入力クロマ信号１１９のサブキャリアー周波数とＶＣＯ回路１１５から出力されるＳＩＮ波、ＣＯＳ波の周波数とを一致させることを目的としたブロックである。第１のローパスフィルター回路１０４から出力される信号はＮＴＳＣ方式時ではＢ−Ｙ信号に相当する信号であり、第２のローパスフィルター回路１０５から出力される信号はＮＴＳＣ方式時ではＲ−Ｙ信号に相当する信号である。
【００２０】
また、ＰＡＬ方式時では第１、２ローパスフィルター回路１０４、１０５から出力される信号は１Ｈ毎に位相が変化している信号であり、この信号を１Ｈディレイ前後にて加減算すると、ＰＡＬ方式の復調色差信号が出力される。また、ＳＥＣＡＭ方式のクロマ信号１１９を入力した時に、第１、２ローパスフィルター回路１０４、１０５から出力される信号をＣＯＲＤＩＣアルゴリズムを利用したＦＭ復調回路に入力すると、ＳＥＣＡＭ復調された色差信号が得られる。
【００２１】
つまりクロマ復調回路１１１では、ＮＴＳＣ時は入力信号をそのまま出力し、ＰＡＬ時は１Ｈディレイ前後の信号を加減算して出力し、ＳＥＣＡＭ時はＦＭ復調回路に入力し、その出力信号を出力するように、ＮＴＳＣ、ＰＡＬ、ＳＥＣＡＭ各方式によってその処理方法を変えることで、色差信号を出力している。
【００２２】
判別ロジック回路１１２に入力されるＶパルス１２１は図２（ａ）に示すタイミングのパルスであり、第５の制御データ１２２が図２（ｂ）のように入力されると、その立ち上がりをトリガーにして判別ロジック回路１１２からデータ変換回路１１４、クロマ復調回路１１１に対してＰＡＬ、ＮＴＳＣ、ＳＥＣＡＭ方式の信号を復調するために必要なデータを出力する。本実施例では３Ｖ期間を１サイクルとし、１サイクルの間にＰＡＬ、ＮＴＳＣ、ＳＥＣＡＭ復調データを送り、ＳＥＣＡＭＩＤ検出回路１０８、ＰＡＬＩＤ検出回路１０９、ＮＴＳＣＩＤ検出回路１１０から出力する信号状態から、入力クロマ信号１１９の方式を判別するのである。
【００２３】
データ変換回路１１４では位相誤差累積回路１１３から出力される信号を、ＰＡＬ、ＳＥＣＡＭ、ＮＴＳＣの信号を復調するためのデータに変換する。いま少し詳しく説明すると、ＶＣＯ回路１１５は入力された信号によって出力するＳＩＮ、ＣＯＳ波の周波数を変えることができるが、位相誤差累積回路１１３から出力される信号に対して、固定データ（第１の制御データ１２６、または第２の制御データ１２７）を加算回路１１６により加算し、その出力信号をＶＣＯ回路１１５に入力すると、ＶＣＯ回路１１５から出力するＳＩＮ、ＣＯＳ波のセンター周波数を変えることができる。
【００２４】
つまり、切り換え回路１１７によって第１の制御データ１２６もしくは第２の制御データ１２７を切り換えることで、ＶＣＯ回路１１５から出力するＳＩＮ、ＣＯＳ波のセンター周波数を変えることができる。ＰＡＬ、ＮＴＳＣ方式ではそれぞれのサブキャリアーが４．４３ＭＨｚ、３．５８ＭＨｚと違うため、それぞれに対応したデータを第１の制御データ１２６、第２の制御データ１２７に持たせ、切り換え回路１１７を切り換えれば、ＰＡＬ，ＮＴＳＣのクロマ信号を復調するＳＩＮ、ＣＯＳ波を得ることができる。
【００２５】
また、ＳＥＣＡＭ信号ではＶＣＯ回路１１５から出力するＳＩＮ、ＣＯＳ波の周波数はフリーランであればよいから、切り換え回路１１８によって第３の制御データ１２８を選択すれば欲しい信号が得られることになる。このようにデータ変換回路１１４ではそれぞれの方式に応じたＳＩＮ、ＣＯＳ波を作るためのデータを生成している。
【００２６】
判別ロジック回路１１２からデータ変換回路１１４に出力する制御データは図２（ｃ）に示してあり、ＳＥＣＡＭＩＤ検出回路１０８から出力する信号は図２（ｅ）に、ＰＡＬＩＤ検出回路１０９から出力する信号は図２（ｆ）に、ＮＴＳＣＩＤ検出回路１１０から出力する信号は図２（ｇ）に示してある。そして、判別ロジック回路１１２では図２（ｈ）がＨｉｇｈの時に入力される３つの検出回路１０８、１０９、１１０からの出力信号の状態を見みいく。例えば入力クロマ信号１１９がＮＴＳＣ信号であるときに、自動判別をスタートさせたときのタイミングチャートが図２であるが、判別ロジック回路１１２からは図２（ｃ）のように、３Ｖを１サイクルとしてＰＡＬ、ＳＥＣＡＭ、ＮＴＳＣの順番で復調用のデータを送っている。そして、ＮＴＳＣの復調データを送られたとき、ＮＴＳＣＩＤ検出回路１１０の出力がＨｉｇｈになり、図２（ｈ）ＡのタイミングにてＮＴＳＣと判断し、サーチを止める。
【００２７】
次にＡＣＣ特性をサーチ中に変更する必要性について説明する。まず、図３は入力クロマ信号１１９がＳＥＣＡＭ信号であり、復調データをＰＡＬからＳＥＣＡＭに切り換えたときのＢ−Ｙ出力信号振幅の変化をあらわした図である。ＰＡＬデータを送ると、Ｂ−Ｙ出力振幅はビート状の出力になり、ＳＥＣＡＭデータを送ると、その出力は正常な波形となる。
【００２８】
しかし、入力クロマ信号１１９がＳＥＣＡＭ信号であるのに、ＰＡＬデータを送られると、バースト検出回路１０６、位相誤差累積回路１１３等には不正規の信号が溜まることになる。そして、その後ＳＥＣＡＭデータを送っても不正規の信号が十分に無くなるまでは正しい出力が得られない。その様子をあらわしたのが図３（ｃ）であり、ＳＥＣＡＭデータに切り換わったあとでも過渡応答がかなり残っていることがわかる。
【００２９】
そこで、図３（ｄ）Ｂに示すように、１Ｖ期間ＡＣＣを止めてやり、不正規の信号をできるだけ除去して、データを切り換えてやると過渡応答が少なくなる。そこで、切り換え回路１０７にて、図２（ｄ）がＨｉｇｈを示すような期間は、掛算回路１０１に入力させるデータを固定データ（第４の制御データ１２０）にすると、ＡＰＣ回路、ＡＣＣ回路の過渡応答が少なくなり、誤判別を減少させることができる。
【００３０】
【発明の効果】
以上のように本発明は基本的にＰＡＬ／ＮＴＳＣ復調回路とＳＥＣＡＭ復調回路の２つの復調回路を持つようにして、回路規模を小さくしながらも、クロマ方式を判別する際に、誤動作が少なくかつ早く判別することができる。
【図面の簡単な説明】
【図１】本発明の第１の実施例における自動方式判別回路のブロック構成図
【図２】本発明の実施例における自動方式判別回路の動作説明図
【図３】本発明の実施例における自動方式判別回路の動作説明図
【符号の説明】
１０１  掛算回路
１０２  掛算回路
１０３  掛算回路
１０４  第１のローパスフィルター回路
１０５  第２のローパスフィルター回路
１０６  バーストレベル検出回路
１０７  切り換え回路
１０８  ＳＥＣＡＭＩＤ検出回路
１０９  ＰＡＬＩＤ検出回路
１１０  ＮＴＳＣＩＤ検出回路
１１１  クロマ復調回路
１１２  判別ロジック回路
１１３  位相誤差累積回路
１１４  データ変換回路
１１５  ＶＣＯ（Ｖｏｌｔａｇｅ  Ｃｏｎｔｒｏｌ  Ｏｓｃｉｌｌａｔｏｒ）回路
１１６  加算回路
１１７  切り換え回路
１１８  切り換え回路
【図１】
0004296650.tif 000002
【図２】
0004296650.tif 000003
【図３】
0004296650.tif 000004